(57)【要約】【課題】  データの入出力動作とそれに伴う合理的な課金を実現しえる画像形成装置を提供することを目的とする。【解決手段】  画像形成動作単位及び画像読み取り動作単位でカウンタをカウントアップし課金を行う第一の課金手段１０２と、音声入出力手段により入出力された音声データのデータ量に基づきカウンタをカウントアップし課金を行う第二の課金手段１０３とを、課金方法切り替え手段１０１により切り替えて、各課金手段１０２、１０３で課金を行うようにすることにより、装置の使用状況に応じた使用料を合理的に課金することができるようにする。【選択図】      図１
2005107230.tif 000002
【特許請求の範囲】
【請求項１】
原稿を光学的に読み取り電子データに変換する画像読み取り手段と、
前記画像読み取り手段により読み取られた画像データを一時記憶するデータ記憶手段と、
前記データ記憶手段に記憶されている画像データに基づく可視像を記録媒体上に形成する画像形成手段と、
装置の使用量を、カウンタを用いてカウントし記憶保持するカウント値記憶手段とを有する画像形成装置において、
画像形成動作単位及び画像読み取り動作単位で前記カウンタをカウントアップし課金を行う第１の課金手段と、
音声データを入力または出力させる為の音声入出力手段と、
前記音声入出力手段により入出力された音声データのデータ量に基づき前記カウンタをカウントアップし課金を行う第２の課金手段と、
前記第１の課金手段と第２の課金手段の両課金手段を切り替える課金方法切り替え手段により、装置の使用状況に応じた使用料を課金する課金手段と、
を有することを特徴とする画像形成装置。
【請求項２】
音声により読み上げる文字数及び読み上げに要した時間に応じて、前記カウンタをカウントアップすることを特徴とする請求項１に記載の画像形成装置。
【発明の詳細な説明】
【技術分野】
【０００１】
本発明は、画像形成装置に関し、特に、原稿を光学的に読み取り電気信号に変換し記録媒体へ一時記憶し、記憶されたデータに基づき被記録媒体上へ可視の画像を形成する画像形成装置に関するものである。
【背景技術】
【０００２】
従来から、紙原稿を読み取って電子データに変換し、プリンタ等の画像形成装置から出力する複写機がある。また、ユーザが複写機のプリント出力に応じた使用量に基づいた料金体系を設定し、料金を算出するというチャージシステムがある。
【０００３】
また、課金システムは、Ａ４片面のコピーを最小単位として１枚が出力される毎に課金される。そして、課金算定基準となる出力枚数は、プリンタ等の画像形成装置本体のカウンタに記憶されている。すなわち、カウンタは、前記Ａ４片面原稿のコピーを１枚取るたびに１カウントされる。Ａ３原稿の場合は、カウンタが２カウントされる。また、紙サイズ別にカテゴリを分けて、各カテゴリに従ったカウント値をカウントするという構成になっているものもある。
【発明の開示】
【発明が解決しようとする課題】
【０００４】
従来のような画像形成装置の使用に関わる課金システムにおいては、前述した様に、基本的に画像形成装置より出力される１ページ単位でカウンタがカウントアップされ、そのカウンタの値により課金料金を計算するシステムになっている。すなわち、従来では、カウンタの値により原稿複写、原稿読み取り、またはプリント毎に課金する方法が取られている。
【０００５】
しかしながら、今後、紙に印字する或は紙データを読み取るという入出力のみならず，電子データから有益な電子データへの変換、或は音声データの入出力、文書原稿を読み取って音声データに変換、音声データを入力し文字データに変換して印字するという風に様々なリソースデータの入出力を扱うことが考えられ、画像形成装置は、現在よりもインテリジェントな装置として使用されると考える。
【０００６】
また、入出力するデータの量や質に応じた料金体系や課金システムを構築するために課金算定基準となるカウンタを設定する必要がある。つまり、これまでのＡ４原稿１枚の出力でいくらかという課金の仕方だけではこれから多機能化、多様化していくシステムやその使用環境にマッチした課金のシステムを実現できない。
【０００７】
本発明は前述の問題点に鑑みてなされたものであり、各々のデータの入出力動作とそれに伴う合理的な課金を実現し得る画像形成装置を提供することを目的とする。
【課題を解決するための手段】
【０００８】
本発明は上記課題を解決するために、原稿を光学的に読み取り電子データに変換する画像読み取り手段、前記画像読み取り手段により読み取られた画像データを一時記憶するデータ記憶手段と、前記画像記録手段に記憶されている画像データに基づく可視像を記録媒体上に形成する画像形成手段、画像形成装置使用量をカウントし記憶保持するカウント値記憶手段、とを有する画像形成装置において、前記画像形成装置により画像形成動作及び画像読み取り動作単位で前記カウンタをカウントアップし課金を行う第一課金手段と、前記画像形成装置に接続した音声データを入力または発生させる為の音声入出力手段と、前記音声入出力装置により入出力された音声データ量に基づき前記カウンタをカウントアップし課金を行う第二課金手段と、前記第一の課金手段と第二課金手段の両課金手段を切り替える課金方法切り替え手段により、前記画像形成装置の使用時に装置の使用状況に応じた使用料を課金する課金手段とを有することを特徴とする画像形成装置を提供する。
【発明の効果】
【０００９】
本発明によれば、画像データの読み取り動作単位、及び前記画像データに基づいた画像形成動作単位でカウンタをカウントアップして課金を行う第１の課金手段と、音声データを入出力する為の音声入出力手段で入出力された音声データのデータ量に基づいてカウンタをカウントアップして課金を行う第２の課金手段とを切り替えて各課金手段により課金を行うようにしたので、用紙への印字の伴わないデータ処理における課金を行うためのカウンタを設定することができ、装置の使用状況に応じた使用料を課金することができる。これにより、データの入出力動作に伴う合理的な課金を実現することができる。
【発明を実施するための最良の形態】
【００１０】
以下、添付の図面を参照して、本発明に係る画像形成装置の好適な実施の形態を詳細に説明する。
【００１１】
図１は、本実施の形態の画像形成装置を適用した課金システムにおける課金カウント手段の構成例を示すブロック図である。
図１において、１０１は、課金手段切り替え手段であり、第一の課金手段１０２と第二の課金手段１０３のどちらの課金手段においてカウンタをインクリメントするか否かを判断するブロックである。
【００１２】
１０２は、第一の課金手段であり、通常の出力用紙サイズ別カウンタのインクリメントを行うブロックである。
１０３は、第二の課金手段であり、用紙への印字出力を伴わない音声入出力時にデータ量に応じてカウンタをインクリメントするブロックである。
【００１３】
図２は、前記出力用紙サイズ別カウンタの値を示した図である。
図２において、２０１は、操作部等に表示されるカウンタ値の一例であり、用紙別としてＡ４サイズをノーマルサイズ、Ａ３サイズをラージサイズとした場合の積算のカウンタ値である。
【００１４】
ラージサイズのカウントアップ値は、Ａ４サイズを１とした場合に２倍に設定している。両面印刷を行った場合は片面毎に１が加算される。プリント時及びコピー時のそれぞれにおいてカテゴリで区別している。図のように用紙サイズ、コピー、プリント、またはＡ４ノーマルサイズとＡ３ラージサイズ別のカウンタ値に基づき料金清算を行う。
【００１５】
図３は、ある用紙が出力された時に第一の課金手段１０２でカウンタをインクリメントする方法を示すフローチャートである。
ユーザが操作部を使用して行った設定に基づき（ステップＳ３０１）、コピー、プリントの各モードと設定部数（ステップＳ３０２）及び用紙サイズ（ステップＳ３０３）を設定するとともに、両面で印刷するか（Ｗ）片面で印刷するか（Ｓ）を設定する（ステップＳ３０４）。そして、これら設定した内容から、トータルのカウントアップ値（Ｍ）を算出し（ステップＳ３０５）、カウント値が設定される。
【００１６】
カウントアップは、ステップＳ３０６においてカウンタをインクリメントすることにより行う。そして、ステップＳ３０７で操作部により処理中止を行うためにキャンセルを行った場合は、その時点での出力枚数に応じてカウントアップされた後カウントアップは中止される。
【００１７】
一方、処理をそのまま続行する場合は、ステップＳ３０５で算出されたトータルカウントアップ数が０になるまで、ステップＳ３０８で出力が行われ、ステップＳ３０８で出力されるごとにカウントアップが行われる。そして、ステップＳ３０９でトータルカウントアップ値が０、つまりすべての出力が終了するとカウントアップが終了する。
【００１８】
図３に示したフローチャートは、カウントアップするシーケンスの一例であり、出力用紙サイズ別、部数別、両面片面により算出されるカウンタのカウントアップを行う方法であればシーケンスの方法はどのように行ってもよい。
【００１９】
図２２は、本実施の形態の画像形成装置の第二の課金手段１０３において課金が施される入力データと出力データの形態の一例を示した図である。
本実施の形態では、ユーザがマイクを使用することにより音声入出力装置に取り込まれた音声データを、既知の音声認識技術を用いてテキストデータ及び文書ファイルとしてフォーマットし、印字出力する形態に変換を行うことが可能である。
【００２０】
一方、紙媒体に印字された文書等を、スキャナを用いて読み取ることで既知のＯＣＲ技術により編集可能なテキストデータへと変換、またはテキスト/音声の変換テーブル等を用いて音声データへの変換が可能である。
【００２１】
前記第二の課金手段１０３により設けられた料金算定基準となるカウンタのカウントアップは、図２２に示した音声入出力処理の形態等に適用するものである。
【００２２】
音声入出力装置と本実施の形態の画像形成装置により処理されたこれらの入出力処理と変換処理及びその課金方法を構成する。一方、音声入出力処理においてはこの例に限らず例えば装置の使用にかかわるガイダンスを音声でユーザに知らせること等によっても処理することが可能であるが、課金の対象にするか否かは任意に設定しても構わない。本実施の形態の特徴は、データの処理容量によりカウントアップを行うことが可能であるので、課金対象となるデータの処理自体は任意に設定することが可能である点にある。
【００２３】
図４は、単位データ容量に基づきカウンタをカウントアップする際のフローチャートである。
第二の課金手段１０３である音声データの入出力時に入出力されたデータ量のうちの実際に処理されたデータ量に対して単位データ当たりのカウントアップ値を設定しカウントアップを行う。この単位データ当たりのカウントアップ値は任意に設定することができる。
【００２４】
ステップＳ４０１において音声データの出力が開始されると、ステップＳ４０２で処理済みのデータ容量対し、ステップＳ４０３で処理中断または中止のタイミングが発生したか否をポーリングし続ける。
【００２５】
ステップＳ４０３で処理中断または中止したと判断すると、ステップＳ４０３においてあらかじめ設定されている単位データ当たりのカウントアップ値（ZZZ）を基準に、ステップＳ４０４でカウントアップ値を算出する。最終的にステップＳ４０４で算出されたカウントアップ値をカウンタに加算する。
【００２６】
図４に示したフローチャートは、単位データ容量当たりのカウントアップ値を設定する場合の一例であり、単位容量当たりのカウントアップ値（ZZZ）ならびにその算出式等は任意に設定できるものとする。
【００２７】
また、処理済みデータ容量をポーリングするかわりに、処理にかかった時間を算定基準とすることも可能であり、単位処理時間当たりのカウントアップ値を任意に設定することが可能である。
【００２８】
同様に、処理を行う文字単位で算定基準を設定しても構わない。本実施の形態で述べた処理したデータ容量単位のカウントアップ値の設定方法は、本発明の説明の一例である。
【００２９】
図５は、第一の課金手段１０２と第二の課金手段１０３を切り替える方法を示したフローチャートである。
ステップＳ５０１においてユーザが操作部において行った設定により、コピー機能（ステップＳ５０２）、プリント機能（ステップＳ５０３）、FAXなどのSEND機能（ステップＳ５０４）を選択した場合は、第一の課金手段１０２により課金動作を行う（ステップＳ５０８）。
【００３０】
図４に示した入出力データ処理による音声読み上げ機能（ステップＳ５０５）を選択した場合は、第二の課金手段１０３により課金動作を行う（ステップＳ５０６）。いずれの課金手段にも該当しない機能、例えば装置使用に関わるガイダンス機能を選択した場合は課金動作を行わない（ステップＳ５０７）。
【００３１】
図５では、データ容量に基づく課金の例として、処理内容を音声読み上げとした場合について説明したが、これは用紙に出力を伴う機能以外の機能及び処理についての一例であり、処理内容はこの限りではない。
【００３２】
音声読み上げ機能については、ユーザが操作部において、例えば文書原稿を用紙に出力するか、それを既知のＯＣＲ処理してテキストデータ及び音声データに変換して本実施の形態の画像形成装置が有する音声出力装置により読み上げる機能である。音声読み上げ処理を施すか否かは、操作部の設定により行うことで出力先の設定を確認できる。
【００３３】
図６は、本実施の形態によって構成したネットワークシステムである。
図中の６００は、インターネット通信網である。６０１は、ウェブサーバであり、インターネット６００上に接続され、インターネットユーザーに特定のサービスを提供する。
【００３４】
６０２は、金融機関と消費者クライアントの間の決済処理などを行う電子マネーサーバである。６０４は、個人ユーザの端末とインターネット６００との接続処理を行うサービスプロバイダである。
【００３５】
６０３は、ファイアーウォールであり、これにより下に図示したＬＡＮ２０１１内部と外部通信網（インターネット６００）とを接続し、セキュリティー管理などを行う。
【００３６】
６１０は、ＬＡＮ２０１１で接続された後述する各機器６１１〜６１４、６２０を管理するための機器管理サーバーである。６１１は、ファイルサーバであり、ＬＡＮ２０１１で接続された複数のユーザがデータを共有することができる。
【００３７】
６２０は、デジタル複写機などの画像形成装置であり、主に画像の入出力機能を有する。この画像形成装置６２０において、１４０は、ユーザが各種の操作を行うための操作部であり、１０は操作部１４０やパソコン６１２、６１３からの指示にしたがって画像を読み取るためのイメージスキャナであり、２０は、パソコン６１２、６１３やファイルサーバ６１１からのデータを用紙に印刷するプリンタである。
【００３８】
３０は、コントローラユニットであり、操作部１４０やパソコン６１２、６１３からの指示に基づいて、スキャナ１０、プリンタ２０に対する画像データの入出力の制御を行う。
【００３９】
例えば、スキャナ１０が取り込んだ画像データをコントローラ内部のメモリに蓄積したり、パソコン６１２、６１３に出力したり、あるいはプリンタ２０で印刷したりするなどの制御を行う。
【００４０】
６１４は、プリンタであり、パソコン６１２、６１３やファイルサーバ６１１からの画像データを記録媒体上にプリントすることができる。
【００４１】
６１２、６１３は、端末装置として接続されたパソコンである。インターネット６００を介してウェブサーバ６０１から提供された情報を閲覧したり、画像データを画像形成装置６２０やプリンタ６１４に出力したりすることができる。
【００４２】
なお、上記構成は、インターネットにファイアーウォール６０３を介してＬＡＮ２０１１が接続されている構成となっているが、サービスプロバイダ６０４を介してファイアーウォールが接続される構成でもかまわない。
【００４３】
本実施の形態の画像形成装置６２０の外観を図７に示す。
画像入力デバイスであるスキャナ部（イメージスキャナ）１０は、原稿画像をランプにより照射し、CCDラインセンサ(図示せず)で読み取り、電気信号に変換することで画像データとして処理を行う。
【００４４】
原稿用紙を原稿フィーダ１４２にセットし、装置使用者が操作部１４０から読み取り起動指示することにより、フィーダ１４２は、原稿用紙を１枚ずつフィードし原稿画像の読み取り動作を行う。
【００４５】
画像出力デバイスであるプリンタ部（プリンタ）２０は、画像データを用紙上の画像に変換する部分である。なお、本実施の形態では、感光体ドラムや感光体ベルトを用いた電子写真方式により、画像データを用紙上の画像に変換する場合について説明を行うが、微少ノズルアレイからインクを吐出して用紙上に直接画像を印字するインクジェット方式等であっても構わない。
【００４６】
プリント動作の起動は、装置内部のコントローラ（後述）からの指示によって開始する。プリンタ部２０には、異なる用紙サイズまたは異なる用紙向きを選択できるように複数の給紙段を持ち、それに対応した用紙カセット１２２、１２４、１４２、１４４がある。また、画像形成された用紙は排紙トレイ１３２上に排出される。
【００４７】
操作部１４０の構成を図８に示す。
LCD表示部８３２は、LCD上にタッチパネルシートが貼られており、システムの操作画面を表示するとともに、表示してあるキーが押されるとその位置情報をコントローラユニット３０に伝える。
テンキー８２８は、コピー枚数など、数字を入力する時に使用する。スタートキー８２９は、原稿画像の読み取り動作を開始する時などに用いる。
【００４８】
ストップキー８３０は、稼働中の動作を止めるときに使用する。リセットキー８３１は、操作部１４０からの設定を初期化する時に用いる。
また、８２３は、ガイドキーであり、キーの機能が解らないとき押すとそのキーの説明がLCD表示部８３２上等に表示される。
【００４９】
８２４は、コピーモードキーであり、複写を行うときに押す。８２５は、ファクスキーであり、ファクスに関する設定を行うときに押す。８２６は、ファイルキーであり、ファイルデータを出力したいときに押す。８２７は、プリンターキーであり、コンピュータ等の外部装置からのプリント出力に関する設定などを行うときに使用する。
【００５０】
８３１は、音声ガイドキーであり、音声によるガイドを行うときに、キーを押下して設定を行い、設定をオフにする場合には再度、押下して設定を解除することができる。
【００５１】
８０１は、スピーカーで、音声によるガイドがスピーカーを通して出力する。８０２は、ハンドセットであり、これを使用して音声を入力したり、音声ガイドを聞いたりすることができる。
また、本実施の形態の画像形成装置６２０における装置使用量を記憶しているカウンタの値を操作部１４０上のLCD表示部８３２に表示させることが可能である。
【００５２】
図９は、本実施の形態の画像形成装置６２０の構成を説明する断面図である。図面を用いて動作の詳細を説明する。
９０１は、原稿台ガラスであり、原稿自動送り装置１４２から給送された原稿が順次、所定位置に載置される。
【００５３】
９０２は、例えばハロゲンランプから構成される原稿照明ランプであり、原稿台ガラス９０１に載置された原稿を露光する。９０３、９０４、９０５は走査ミラーであり、図示しない光学走査ユニットに収容され、往復運動しながら、原稿からの反射光をＣＣＤユニット９０６に導く。
【００５４】
ＣＣＤユニット９０６は、ＣＣＤに原稿からの反射光を結像させる結像レンズ９０７、例えばＣＣＤから構成される撮像素子９０８、撮像素子９０８を駆動するＣＣＤドライバ９０９等から構成されている。
【００５５】
撮像素子９０８からの画像信号出力は、例えば８ビットのデジタルデータに変換された後、コントローラ部（コントローラユニット）３０に入力される。また、９１０は、感光ドラムであり、前露光ランプ９１２によって画像形成に備えて除電される。
【００５６】
９１３は、１次帯電器であり、感光ドラム９１０を一様に帯電させる。９１７は、露光手段であり、例えば半導体レーザー等で構成され、画像形成や装置全体の制御を行うコントローラ部（コントローラユニット）３０で処理された画像データに基づいて感光ドラム９１０を露光し、静電潜像を形成する。
【００５７】
９１８は、現像器であり、黒色の現像剤（トナー）が収容されている。９１９は、転写前帯電器であり、感光ドラム９１０上に現像されたトナー像を用紙に転写する前に高圧をかける。
【００５８】
９２０、９２２、９２４、９４２、９４４は、給紙ユニットであり（９２０は手差し給紙ユニット）、各給紙ローラ９２１、９２３、９２５、９４３、９４５の駆動により、転写用紙が装置内へ給送され、レジストローラ９２６の配設位置で一旦停止し、感光ドラム９１０に形成された画像との書き出しタイミングがとられて再給送される。
【００５９】
９２７は、転写帯電器であり、感光ドラム９１０に現像されたトナー像を給送される転写用紙に転写する。９２８は、分離帯電器であり、転写動作の終了した転写用紙を感光ドラム９１０により分離する。
【００６０】
転写されずに感光ドラム９１０上に残ったトナーは、クリーナー９１１によって回収される。９２９は、搬送ベルトで、転写プロセスの終了した転写用紙を定着器９３０に搬送し、例えば熱により定着される。
【００６１】
９３１は、フラッパであり、定着プロセスの終了した転写用紙の搬送パスを、ソーター９３２または中間トレイ９３７の配置方向のいずれかに制御する。
【００６２】
また、９３３〜９３６は、給送ローラであり、一度定着プロセスが終了した転写用紙を中間トレイ９３７に反転（多重）または非反転（両面）して給送する。
【００６３】
９３８は、再給送ローラであり、中間トレイ９３７に載置された転写用紙を再度、レジストローラ９２６の配設位置まで搬送する。
コントローラ部（コントローラユニット）３０には、後述するマイクロコンピュータや、画像処理部等を備えており、マンマシンインターフェース装置９４０からの指示に従って、前述の画像形成動作を行う。
【００６４】
図１０は、操作パネル１４０のLCD表示部８３２に表示される基本画面である。
１００１は、拡張機能キーであり、このキーを押すことによって両面複写、多重複写、移動、とじ代の設定、枠消しの設定等のモードに入る。
【００６５】
１００２は、画像モードキーであり、複写画像に対して網掛け、影付け、トリミング、マスキングを行うための設定モードに入る。１００３は、ユーザーモードキーであり、このユーザーモードキー１００３を操作することによりモードメモリの登録や、標準モード画面の設定をユーザごとに行うことが可能になる。
【００６６】
１００４は、応用ズームキーであり、この応用ズームキー１００４を操作することにより、原稿のＸ方向、Ｙ方向を独立に変倍するモードや、原稿のサイズと複写サイズから変倍率を計算するズームプログラムのモードに入る。
【００６７】
１００５、１００６、１００７は、それぞれＭ１キー、Ｍ２キー、Ｍ３キーであり、それぞれのモードメモリを呼び出す際に押す。１００８は、コールキーであり、前回設定されていた複写モードを呼び出す際に押す。１００９は、オプションキーであり、フィルムから直接複写するためのフィルムプロジェクター等のオプション機能の設定を行うためのものである。
【００６８】
１０１０は、ソーターキーであり、ソート出力や、グループ出力等のモード設定を行う。１０１１は、原稿混載キーであり、原稿フィーダ１４２にＡ４サイズとＡ３サイズ、またはＢ５サイズとＢ４サイズの原稿を一緒にセットする際に押す。
【００６９】
１０１２は等倍キーであり、複写倍率を１００％にする際に押す。１０１４、１０１５は、それぞれ縮小キー、拡大キーであり、定形の縮小、拡大を行う際に押す。１０１６は、ズームキーであり、１％刻みで非定形の縮小、拡大を行う際に押す。
【００７０】
１０１３は、用紙選択キーであり、複写用紙の選択を行う際に押す。１０１８、１０２０は、それぞれ第１及び第２の濃度キーであり、第１の濃度キー１０１８を押すごとに濃く複写され、第２の濃度キー１０２０を押すごとに薄く複写される。
【００７１】
１０１７は、濃度表示であり、第１及び第２の濃度キー１０１８、１０２０を押すと表示が左右へ変化する。１０１９は、ＡＥキーであり、新聞のように地肌の濃い原稿を自動濃度調整複写するときに押す。
【００７２】
１０２１は、ＨｉＦｉキーであり、写真原稿のように中間調の濃度が多い原稿の複写の際に押す。１０２２は、文字強調キーであり、文字原稿の複写で文字を際立たせたい場合に押下する。
【００７３】
図１１は、画像形成装置６２０におけるイメージスキャナ１０と、プリンタ２０の構成を示すブロック図である。
１１５１は、イメージスキャナ１０全体の制御を行うＣＰＵであり、制御プログラムを記憶した読み取り専用メモリ（ＲＯＭ）１１５３からプログラムを順次読み取り、実行する。ＣＰＵ１１５１のアドレスバス、データバスは、バスドライバ、アドレスデコーダ１１５２からなる回路を介して各負荷に接続されている。また、コントローラユニット３０のＣＰＵ１１５１と接続され、通信を行う。
【００７４】
１１５４は、入力データの記憶や作業用記憶領域等として用いる主記憶装置としてのランダムアクセスメモリ（ＲＡＭ）である。１１５５は、I/Oインターフェースであり、給紙系、搬送系、光学系の駆動を行うモーター類１１５６、ランプ類１１５７、また、搬送される用紙を検知する紙検知センサ類１１５８等の装置の各負荷に接続される。
また、CCDユニット１０６により読み込まれた画像データは、コントローラユニット３０に転送される。
【００７５】
次に、１１０１は、プリンタ２０の制御を行うＣＰＵであり、制御手順（制御プログラム）を記憶した読み取り専用メモリ（ＲＯＭ）１１０３からプログラムを順次読み取り、実行する。ＣＰＵ１１０１のアドレスバスおよびデータバスは、のバスドライバ回路、アドレスデコーダ回路１１０２を経て各負荷に接続されている。また、１１０４は、入力データの記憶や作業用記憶領域等として用いる主記憶装置であるところのランダムアクセスメモリ（ＲＡＭ）である。
【００７６】
１１０５は、I/Oインターフェースであり、給紙系、搬送系、光学系の駆動を行うモーター類１１０７、クラッチ類１１０８、及びソレノイド類１１０９や、搬送される用紙を検知するための紙検知センサ類１１１０等の装置の各負荷に接続される。
【００７７】
前述した現像器９１８には、現像器内のトナー量を検知するトナー残検センサ１１１１が配置されており、その出力信号がI/Oインターフェース1105に入力される。
【００７８】
１１１５は、高圧ユニットであり、ＣＰＵ１１０１の指示に従って、前述の１次帯電器９１３、現像器９１８、転写前帯電器９１９、転写帯電器９２７、分離帯電器９２８へ高圧を出力する。
【００７９】
ＣＣＤユニット９０６から出力された画像信号は、コントローラユニット３０により、後述する画像処理を行い、画像データに従って露光手段（レーザーユニット）９１７の制御信号を出力する。
【００８０】
露光手段（レーザーユニット）９１７から出力されるレーザー光は、感光ドラム９１０を照射し、露光するとともに非画像領域において受光センサであるところのビーム検知センサ１１１３によって発光状態が検知され、その出力信号がI/Oインターフェース１１０５に入力される。
【００８１】
コントローラユニット３０の構成図を図１２に示す。
コントローラユニット３０は、画像入力デバイスであるイメージスキャナ１０や画像出力デバイスであるプリンタ２０と接続し、一方ではＬＡＮ２０１１や公衆回線（ＷＡＮ）１２５１と接続することで、画像情報やデバイス情報の入出力を行う為のコントローラである。
【００８２】
ＣＰＵ１２０１は、システム全体を制御するコントローラである。ＲＡＭ１２０２は、ＣＰＵ１２０１が動作するためのシステムワークメモリであり、画像データを一時記憶するための画像メモリでもある。
【００８３】
ＲＯＭ１２０３は、ブートＲＯＭであり、システムのブートプログラムが格納されている。ＨＤＤ１２０４は、ハードディスクドライブで、システムソフトウェア、画像データ、ソフトウェアカウンタ値などを格納する。
【００８４】
ソフトウェアカウンタ値は、用紙サイズ別カウンタ領域とデータ処理容量別カウンタ領域とが設定されており、ＣＰＵ１２０１が処理したデータ容量に基づき、予め設定した任意の基準容量値を基準に算出してカウントアップが行われる。
【００８５】
カウンタ値は、ＨＤＤ１２０４に限らず電源が切れても記憶保持することができれば、図示しないＥＥＰＲＯＭ等にその記憶領域を持ってもよい。
【００８６】
操作部I/F１２０６は、操作部（ＵＩ）１４０とのインターフェース部で、操作部１４０に表示する画像データを操作部１４０に対して出力する。また、操作部I/F１２０６は、操作部１４０から本システム使用者が入力した情報を、ＣＰＵ１２０１に伝える役割も有する。
【００８７】
Ｎｅｔｗｏｒｋ１２１０は、ＬＡＮ２０１１に接続し、情報の入出力を行う。ＭＯＤＥＭ１２５０は、公衆回線１２５１に接続し、情報の入出力を行う。音声入出力ユニット５００は、音声をスピーカーに対して出力したり、ハンドセットに対して音声出力したり、音声入力したりするための制御を行う。
【００８８】
スキャナ・プリンタ通信I/F１２０６は、イメージスキャナ１０、プリンタ２０のＣＰＵ１１０１、１１５１とそれぞれ通信を行うためのインターフェース（Ｉ／Ｆ）である。以上のデバイスがシステムバス１２０７上に配置される。
【００８９】
Image Bus I/F１２０５は、システムバス１２０７と、画像データを高速で転送する画像バス１２０８とを接続し、データ構造を変換するバスブリッジである。画像バス１２０８は、PCIバスまたはIEEE1394で構成される。
【００９０】
画像バス１２０８上には以下のデバイスが配置される。
ラスターイメージプロセッサ（ＲＩＰ）１２６０は、PDLコードをビットマップイメージに展開する。デバイスI/F部１２２０は、画像入出力デバイスであるイメージスキャナ１０やプリンタ２０と、コントローラユニット３０とを接続し、画像データの同期系/非同期系の変換を行う。
【００９１】
スキャナ画像処理部１２８０は、入力画像データに対し補正、加工、編集を行う。プリンタ画像処理部１２９０は、プリント出力画像データに対して、プリンタの補正、解像度変換等を行う。画像回転部１２３０は、画像データの回転を行う。画像圧縮部１２４０は、多値画像データはJPEG、２値画像画像データはJBIG、MMR、MHの圧縮伸張処理を行う。
【００９２】
以下、図１２に示したコントローラユニット３０内の各ブロックの説明を行う。
図１３は、スキャナ画像処理部１２８０の構成を示した図である。
画像バスI/Fコントローラ１３８１は、画像バス１２０８と接続し、そのバスアクセスシーケンスを制御する働きと、スキャナ画像処理部１２８０内の各デバイスの制御及びタイミングを発生させる。
【００９３】
フィルタ処理部１３８２は、空間フィルタでコンボリューション演算を行う。編集部１３８３は、例えば入力画像データからマーカーペンで囲まれた閉領域を認識して、その閉領域内の画像データに対して、影つけ、網掛け、ネガポジ反転等の画像加工処理を行う。
【００９４】
変倍処理部１３８４は、読み取り画像の解像度を変える場合にラスターイメージの主走査方向について補間演算を行い拡大、縮小を行う。副走査方向の変倍については、画像読み取りラインセンサ(図示せず)を走査する速度を変えることで行う。
【００９５】
テーブル１３８５は、読み取った輝度データである画像データを濃度データに変換するためのものである。２値化１３８６は、多値のグレースケール画像データを、誤差拡散処理やスクリーン処理によって２値化する。  処理が終了した画像データは、再び画像バスI/Fコントローラ１３８１を介して、画像バス１２０８上に転送される。
【００９６】
プリンタ画像処理部１２９０の構成を図１４に示す。
画像バスI/Fコントローラ１４９１は、画像バス１２０８と接続し、そのバスアクセスシーケンスを制御する働きと、プリンタ画像処理部１２９０内の各デバイスの制御及びタイミングを発生させる。
【００９７】
解像度変換部１４９２は、Network１２１０あるいは公衆回線１２５１から来た画像データを、プリンタ２０の解像度に変換するための解像度変換を行う。スムージング処理部１４９３は、解像度変換後の画像データのジャギー（斜め線等の白黒境界部に現れる画像のがさつき）を滑らかにする処理を行う。
【００９８】
画像圧縮部１２４０の構成を図１５に示す。
画像バスI/Fコントローラ１５４１は、画像バス１２０８と接続し、そのバスアクセスシーケンスを制御する働き、入力バッファ１５４２、出力バッファ１５４５とのデータのやりとりを行うためのタイミング制御、及び画像圧縮部１５４３に対するモード設定などの制御を行う。以下に画像圧縮部１２４０の処理手順を示す。
【００９９】
画像バス１２０８を介して、ＣＰＵ１２０１から画像バスI/Fコントローラ１５４１に画像圧縮制御のための設定を行う。この設定により画像バスI/Fコントローラ１５４１は、画像圧縮部１５４３に対して画像圧縮に必要な設定（例えばMMR圧縮・JBIG伸長等）を行う。必要な設定を行った後に、再度ＣＰＵ１２０１から画像バスI/Fコントローラ１５４１に対して画像データ転送の許可を行う。この許可に従い、画像バスI/Fコントローラ１５４１は、ＲＡＭ１２０２もしくは画像バス２００８上の各デバイスから画像データの転送を開始する。
【０１００】
受け取った画像データは、入力バッファ１５４２に一時的に格納され、画像圧縮部１２４０の画像データ要求に応じて一定のスピードで画像を転送する。この際、入力バッファ１５４２は、画像バスI/Fコントローラ１５４１と、画像圧縮部１５４３の両者の間で、画像データを転送できるかどうかを判断し、画像バス１２０８からの画像データの読み出し及び画像圧縮部１５４３への画像の書き込みが不可能である場合は、データの転送を行わないような制御を行う（以後このような制御をハンドシェークと呼称する）。
【０１０１】
画像圧縮部１５４３は、受け取った画像データを、一旦ＲＡＭ１５４４に格納する。これは、画像圧縮を行う際には、行う画像圧縮処理の種類によって、数ライン分のデータを要するためであり、最初の１ライン分の圧縮を行うためには、数ライン分の画像データを用意してからでないと画像圧縮が行えないためである。
【０１０２】
画像圧縮を施された画像データは、直ちに出力バッファ１５４５に送られる。出力バッファ１５４５では、画像バスI/Fコントローラ１５４１と画像圧縮部１５４３とのハンドシェークを行い、画像データを画像バスI/Fコントローラ１５４１に転送する。
【０１０３】
画像バスI/Fコントローラ１５４１では、転送された圧縮（もしくは伸長）された画像データをＲＡＭ１２０２もしくは画像バス１２０８上の各デバイスにデータを転送する。
【０１０４】
こうした一連の処理は、ＣＰＵ１２０１からの処理要求が無くなるまで（必要なページ数の処理が終わったとき）、もしくはこの画像圧縮部１２４０から停止要求が出るまで（圧縮及び伸長時のエラー発生時等）繰り返される。
【０１０５】
画像回転部１２３０の構成を図１６に示す。
画像バスI/Fコントローラ１６３１は、画像バス１２０８と接続し、そのバスシーケンスを制御する働き、画像回転部１６３２にモード等を設定する制御、及び画像回転部１６３２に画像データを転送するためのタイミング制御を行う。以下に画像回転部１２３０の処理手順を示す。
【０１０６】
画像バス１２０８を介して、ＣＰＵ１２０１から画像バスI/Fコントローラ１６３１に画像回転制御のための設定を行う。この設定により画像バスI/Fコントローラ１６３１は、画像回転部１６３２に対して画像回転に必要な設定（たとえば画像サイズや回転方向・角度等）を行う。必要な設定を行った後に、ＣＰＵ１２０１から画像バスI/Fコントローラ１６３１に対して画像データ転送の許可を再度行う。
【０１０７】
この許可に従い、画像バスI/Fコントローラ１６３１は、ＲＡＭ１２０２もしくは画像バス１２０８上の各デバイスから画像データの転送を開始する。尚、ここでは32bitをそのサイズとし、回転を行う画像サイズを32×32(bit)とし、さらに、画像バス１２０８上に画像データを転送させる際に32bitを単位とする画像転送を行うものとする（扱う画像は２値を想定する）。
【０１０８】
上述のように、32×32(bit)の画像を得るためには、上述の単位データ転送を３２回行う必要があり、且つ不連続なアドレスから画像データを転送する必要がある(図１７を参照)。
【０１０９】
不連続アドレッシングにより転送された画像データは、読み出し時に所望の角度に回転されているように、ＲＡＭ１６３３に書き込まれる。例えば、９０度反時計方向に回転させるのであれば、最初に転送された32bitの画像データを、図１８のようにＹ方向に書き込んでいく。そして、読み出し時にＸ方向に読み出すことで、画像が回転される。
【０１１０】
32×32(bit)の画像回転（ＲＡＭ１６３３への書き込み）が完了した後、画像回転部１６３２は、ＲＡＭ１６３３から上述した読み出し方法で画像データを読み出し、画像バスI/Fコントローラ１６３１に画像を転送する。
【０１１１】
回転処理された画像データを受け取った画像バスI/Fコントローラ１６３１は、連続アドレッシングを以て、ＲＡＭ１２０２もしくは画像バス１２０８上の各デバイスにデータを転送する。
こうした一連の処理は、CPU1201からの処理要求が無くなるまで（必要なページ数の処理が終わるまで）繰り返される。
【０１１２】
デバイスI/F部１２２０の構成を図１９に示す。画像バスI/Fコントローラ１９２１は、画像バス１２０８と接続し、そのバスアクセスシーケンスを制御する働きと、デバイスI/F部１２２０内の各デバイスの制御及びタイミングを発生させる。
【０１１３】
また、イメージスキャナ１０及びプリンタ２０への制御信号を発生させる。スキャンバッファ１９２２は、イメージスキャナ１０から送られてくる画像データを一時保存し、画像バス１２０８に同期させて画像データを出力する。
【０１１４】
シリアルパラレル・パラレルシリアル変換１９２３は、スキャンバッファ１９２２に保存された画像データを順番に並べて、あるいは分解して、画像バス１２０８に転送できる画像データのデータ幅に変換する。
【０１１５】
パラレルシリアル・シリアルパラレル変換１９２４は、画像バス１２０８から転送された画像データを分解して、あるいは順番に並べて、プリントバッファ１９２５に保存できる画像データのデータ幅に変換する。
プリントバッファ１９２５は、画像バス１２０８から送られてくる画像データを一時保存し、プリンタ２０に同期させて画像データを出力する。
【０１１６】
画像スキャン時の処理手順を以下に示す。
イメージスキャナ１０から送られてくる画像データを、イメージスキャナ１０から送られてくるタイミング信号に同期させて、スキャンバッファ１９２２に保存する。
【０１１７】
そして、画像バス１２０８がPCIバスの場合には、スキャンバッファ１９２２内に画像データが３２ビット以上入ったときに、画像データを先入れ先出しで32ビット分、スキャンバッファ１９２２からシリアルパラレル・パラレルシリアル変換１９２３に送り、32ビットの画像データに変換し、画像バスI/Fコントローラ１９２１を通して画像バス１２０８上に転送する。
【０１１８】
また、画像バス１２０８がIEEE1394の場合には、スキャンバッファ１９２２内の画像データを先入れ先出しで、スキャンバッファ１９２２からシリアルパラレル・パラレルシリアル変換１９２３に送り、シリアル画像データに変換し、画像バスI/Fコントローラ１９２１を通して画像バス１２０８上に転送する。
【０１１９】
画像プリント時の処理手順を以下に示す。
画像バス１２０８がPCIバスの場合には、画像バス１２０８から送られてくる32ビットの画像データを画像バスI/Fコントローラ１９２１で受け取り、パラレルシリアル・シリアルパラレル変換１９２４に送り、プリンタ２０の入力データビット数の画像データに分解し、プリントバッファ１９２５に保存する。
【０１２０】
また、画像バス１２０８がIEEE1394の場合には、画像バス１２０８からおくられてくるシリアル画像データを画像バスI/Fコントローラ１９２１で受け取り、パラレルシリアル・シリアルパラレル変換１９２４に送り、プリンタ２０の入力データビット数の画像データに変換し、プリントバッファ１９２５に保存する。そして、プリンタ２０から送られてくるタイミング信号に同期させて、プリントバッファ１９２５内の画像データを先入れ先出しで、プリンタ２０に送る。
【０１２１】
図２０は、本実施の形態の特徴である音声入出力ユニット５００の詳細を示すブロック図である。
音声入出力ユニット５００は、ＣＰＵ１２０１からシステムバス１２０７を介して入力された音声データを、スピーカー２００１もしくはハンドセット２００２から音声出力する回路と、ハンドセット２００２から音声入力された音声データをコントローラユニット３０のＣＰＵ１２０１に対しシステムバス１２０７を介して入力する回路とから構成される。
【０１２２】
２００１は、スピーカーであり、アンプ２０２８から入力されたアナログ信号を音声出力する。２００２は、ハンドセットであり、アンプ２０２７から入力されたアナログ信号の音声出力と、音声入力したアナログ信号のアンプ２０３７への出力と、ハンドセット２００２のオンフック、オフフック検知信号のレジスタ制御部２０１３への出力を行う。
【０１２３】
２０１１は、バスI/F制御部であり、ＦＩＦＯ２０２１、２０３１への読み書きタイミングを生成させる為にタイミング制御部２０１２へ制御信号を出力し、システムバス１２０７とＦＩＦＯ２０２１、２０３１間の音声データのやり取りを行う。
【０１２４】
また、バスI/F制御部２０１１は、レジスタ制御部２０１３の各種レジスタへの読み書きと、割り込み生成部２０１５によって入力された割り込み信号をもとに、ＣＰＵ１２０１へ割り込みも行う。
【０１２５】
２０１２は、タイミング制御部であり、バスI/F制御部２０１１の制御信号と、レジスタ制御部２０１３のコントロールレジスタ及びステータスレジスタとに従って、ＦＩＦＯ２０２１、２０３１への読み書きのタイミング制御を行うものである。
【０１２６】
また、タイミング制御部２０２１は、ＦＩＦＯ２０２１、２０３１の書き込み位置、読み出し位置を示すアドレスをレジスタ制御部２０１３のカウンタレジスタとして持ち、そのカウントアップ制御も行う。
【０１２７】
２０１３は、レジスタ制御部であり、バスI/F制御部２０１１、タイミング制御部２０１２、アンプON＿OFF制御部２０１４、割り込み生成部２０１５、A/D,D/A制御部２０１６、データ変換部２０２２、２０２４、２０３２、２０３４、補間部２０２３、及び間引き部２０３３で利用されるステータスレジスタ、コントロールレジスタ、及びカウンタレジスタを含み、これらレジスタの制御も行う。
【０１２８】
この制御例として、ハンドセット２００２から入力されたオンフック、オフフック検知信号によってステータスレジスタのON＿OFFを切り替えたり、ＦＩＦＯ２０２１、２０３１の書み込み位置、読み出し位置を示すカウンタレジスタがFIFOサイズに達した時にステータスレジスタを立てたり、音声入出力ユニット５００の処理終了を示すステータスレジスタを立てたりすることが挙げられる。
【０１２９】
２０１４は、アンプON＿OFF制御部であり、レジスタ制御部２０１３のコントロールレジスタに従ってアンプ２０２７、２０２８、２０３７のON＿OFF制御を行う。
【０１３０】
このコントロールレジスタは、バスI/F制御部２０１１を介して、ＣＰＵ１２０１から制御される。また、オンフック、オフフックを示すステータスレジスタによってON＿OFF制御される場合もある。
【０１３１】
２０１５は、割り込み生成部であり、レジスタ制御部２０１３のステータスレジスタのステータスに変化があったときに割り込み信号を生成し、バスI/F制御部２０１１を介してＣＰＵ１２０１に割り込み信号を出力する。ここで、割り込み信号を生成する例として、ハンドセット２００２のオンフック、オフフックを検知したとき、ＦＩＦＯ２０２１、２０３１の読み書きが終了したとき、音声入出力ユニッ５００の処理が終了したときなどが挙げられる。
【０１３２】
２０１６は、A/D,D/A制御部であり、レジスタ制御部２０１３のコントロールレジスタに従って、D/A変換部２０２５と、A/D変換部２０３５のサンプリング周波数の変更、ON＿OFF制御、変換開始制御を行う。このコントロールレジスタは、バスI/F制御部２０１１を介して、ＣＰＵ１２０１から制御される。また、オンフック、オフフックを示すステータスレジスタによってON＿OFF制御される場合もある。
【０１３３】
２０２１、２０３１は、ＦＩＦＯ（First In First Out）であり、音声データ用のバッファメモリである。ここで、このＦＩＦＯ２０２１、２０３１は、ダブルバッファ構成であってもよい。
【０１３４】
２０２２、２０２４、２０３２、２０３４は、データ変換部であり、補間部２０２３あるいは間引き部２０３３のようにデータ処理で使用するデータ幅と、ＦＩＦＯ２０２１、２０３１あるいはD/A変換部２０２５、A/D変換部２０３５とのデータ幅を合わせるためのデータ変換部である。
これらのデータ変換部２０２２、２０２４、２０３２、２０３４は、全てが同じデータ幅で処理されている場合には不要となる。
【０１３５】
２０２３は、補間部であり、D/A変換部２０２５でのサンプリング周波数よりも音声データのサンプリング周波数が小さくデータ量が少ないときにデータ補間するものである。また、レジスタ制御部２０１３のコントロールレジスタに従い補間方法を変える。このコントロールレジスタは、バスI/F制御部２０１１を介して、ＣＰＵ１２０１から制御される。
【０１３６】
２０２５は、D/A変換部であり、A/D,D/A制御部２０１６で設定されたサンプリング周波数に従い、デジタル信号をアナログ信号へ変換するものである。
【０１３７】
２０２６、２０３６は、ＬＰＦ（Low Pass Filter）であり、高周波成分をカットするフィルタである。ここで、ＬＰＦ２０２６のカットオフ周波数は、D/A変換部２０２５のサンプリング周波数の1/2以下の周波数であり、ＬＰＦ２０３６のカットオフ周波数は、A/D変換部２０３５のサンプリング周波数の1/2以下の周波数である。
【０１３８】
２０２７、２０２８、２０３７は、アンプであり、信号増幅をするもので、アンプON＿OFF制御部２０１４によってON＿OFFが制御される。
２０３３は、間引き部であり、A/D変換部２０３５でのサンプリング周波数よりも音声データのサンプリング周波数が小さくデータ量が少ないときにデータ間引きするものである。また、レジスタ制御部２０１３のコントロールレジスタに従い間引き方法を変える。
２０３５は、A/D変換部であり、A/D,D/A制御部２０１６で設定されたサンプリング周波数に従いアナログ信号をデジタル信号へ変換する。
【０１３９】
図２１は、本実施の形態の画像形成装置６２０及び課金方法に関するカウンタ値のメモリ上のマッピングを示す図である。
図２１に示すように、本実施の形態の特徴である処理データ容量別カウンタ記憶領域をメモリマップ上の用紙別カウンタ領域とは別に設けている。
【０１４０】
以上のように本実施の形態では、コピー機能、プリント機能、ＦＡＸ機能などのＳＥＮＤ機能を選択した場合には、第一の課金手段１０２によりカウンタをインクリメントする一方、音声読み上げ機能を選択した場合には、第二の課金手段１０３によりカウンタをインクリメントして課金処理を行うようにしたので、音声入出力等の用紙への印字の伴わないデータ処理に対して課金を行うためのカウンタを設定することができる。これにより、データの入出力動作に伴う合理的な課金を実現することができる。
【０１４１】
（その他の実施の形態）
本発明は複数の機器（例えばホストコンピュータ、インターフェース機器、リーダ、プリンタ等）から構成されるシステムに適用しても一つの機器（例えば複写機、ファクシミリ装置）からなる装置に適用してもよい。
【０１４２】
また、上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【０１４３】
また、この場合、上記ソフトウェアのプログラムコード自体が上述した実施の形態の機能を実現することになり、そのプログラムコード自体は本発明を構成する。そのプログラムコードの伝送媒体としては，プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【０１４４】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１４５】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【０１４６】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【０１４７】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【図面の簡単な説明】
【０１４８】
【図１】本発明の実施の形態を示し、画像形成装置を適用した課金システムにおける課金カウント手段の構成を示す図である。
【図２】本発明の実施の形態を示し、紙サイズ別カウンタの値を示した図である。
【図３】本発明の実施の形態を示し、第一の課金手段で、ある用紙が出力された時にカウンタをインクリメントする方法を示すフローチャートである。
【図４】本発明の実施の形態を示し、単位データ容量に基づきカウンタをカウントアップする際のフローチャートである。
【図５】本発明の実施の形態を示し、第一の課金手段と第二の課金手段を切り替える方法を示したフローチャートである。
【図６】本発明の実施の形態を示し、画像処理装置を含むネットワークシステムの構成を示す図である。
【図７】本発明の実施の形態を示し、画像処理装置の外観を示す図である。
【図８】本発明の実施の形態を示し、画像処理装置の全体構成を示す断面図である。
【図９】本発明の実施の形態を示し、操作部を示す図である。
【図１０】本発明の実施の形態を示し、LCD表示に表示される基本画面を示す図である。
【図１１】本発明の実施の形態を示し、画像形成装置におけるイメージスキャナと、プリンタの構成を示すブロック図である。
【図１２】本発明の実施の形態を示し、コントローラユニットの構成を示すブロック図である。
【図１３】本発明の実施の形態を示し、スキャナ画像処理部の構成を示すブロック図である。
【図１４】本発明の実施の形態を示し、プリンタ画像処理部の構成を示すブロック図である。
【図１５】本発明の実施の形態を示し、画像圧縮部の構成を示すブロック図である。
【図１６】本発明の実施の形態を示し、画像回転部の構成を示すブロック図である。
【図１７】本発明の実施の形態を示し、画像を回転する際の画像データの転送処理を説明するための概念図である。
【図１８】本発明の実施の形態を示し、画像を回転する際の画像データの書き込み、読み出し処理を説明するための概念図である。
【図１９】本発明の実施の形態を示し、デバイスI/F部の構成を示すブロック図である。
【図２０】本発明の実施の形態を示し、音声入出力ユニットの構成を示すブロック図である。
【図２１】本発明の実施の形態を示し、画像形成装置及び課金方法に関するカウンタ値のメモリマップの一例を示す図である。
【図２２】本発明の実施の形態を示し、音声入出力装置による入出力データの形態の一例を示す図である。
【符号の説明】
【０１４９】
１０１  課金手段切り替え手段
１０２  第一の課金手段
１０３  第二の課金手段
１０  イメージスキャナ
２０  プリンタ
３０  コントロールユニット
１４０  操作部
５００  音声入出力ユニット
【図１】
2005107230.tif 000003
【図２】
2005107230.tif 000004
【図３】
2005107230.tif 000005
【図４】
2005107230.tif 000006
【図５】
2005107230.tif 000007
【図６】
2005107230.tif 000008
【図７】
2005107230.tif 000009
【図８】
2005107230.tif 000010
【図９】
2005107230.tif 000011
【図１０】
2005107230.tif 000012
【図１１】
2005107230.tif 000013
【図１２】
2005107230.tif 000014
【図１３】
2005107230.tif 000015
【図１４】
2005107230.tif 000016
【図１５】
2005107230.tif 000017
【図１６】
2005107230.tif 000018
【図１７】
2005107230.tif 000019
【図１８】
2005107230.tif 000020
【図１９】
2005107230.tif 000021
【図２０】
2005107230.tif 000022
【図２１】
2005107230.tif 000023
【図２２】
2005107230.tif 000024